(57)【要約】      （修正有）【課題】足指が自然に開くような構造を採用して、足指を充分使って蹴り歩く歩行をし、足指を使って蹴り歩くことで足指の付け根を収縮弛緩することから足底筋を使用し、ふくらはぎ、太腿筋などを活性化できる履物用インソールの提供。【解決手段】スリッパやサンダルなどの履物に取り外しも可能に嵌め込む発泡ポリウレタン製のインソール１２であり、後半部のカカト対応部分１５を厚く形成し、前半部上面に、足の指が指の付け根から後側より上に載り、指の腹部が稜線１７ｂよりも前側にでる半月弧状であり、前方および後方を下方に向く傾斜部に形成し、前方傾斜部１７ａは凸曲面とし、かつ、稜線１７ｂから弓形状の面積をもって張り出し、後方傾斜部１７ｃは凹曲面とし、後方傾斜部１７ｃの裾部は凹所１８につながり、この凹所１８の後方に中央部分を盛り上げる中足部の突起１９を形成した。【選択図】図１
0003134601.tif 000002
【実用新案登録請求の範囲】
【請求項１】
スリッパやサンダルなどの履物に取り外しも可能に嵌め込む発泡ポリウレタン製のインソールであり、後半部のカカト対応部分を厚く形成し、前半部上面に、足の指が指の付け根から後側より上に載り、指の腹部が稜線よりも前側にでる半月弧状ものであり、前方および後方を下方に向く傾斜部に形成し、前方傾斜部は凸曲面とし、かつ、稜線から弓形状の面積をもって張り出し、後方傾斜部は凹曲面とした指枕を形成し、該指枕の後方傾斜部の裾部は凹所につながり、この凹所の後方に中央部分を盛り上げる中足部の突起を形成したことを特徴とする履物のインソール。
【請求項２】
指枕部および上面周辺部を除いて点状の突起を一面に散列させた請求項１記載の履物のインソール。
【請求項３】
裏面には、点状の穴を一面に散列させた請求項１または請求項２記載の履物のインソール。
【請求項４】
裏面には、リブ条を周囲から少し入り込んだ場所を囲むように形成し、また、後半のカカト対応部分にこの囲みのリブ条に対して交差する直線リブ条を適宜間隔で形成した請求項１ないし請求項３記載のいずれかに記載の履物のインソール。
【請求項５】
硬度は４５度であり、カカト対応部分の厚さは１６ミリ以上であり、指枕は高さ１５．５ミリ以上であり、中足部の突起は高さ８ミリ以上である請求項１ないし請求項４記載のいずれかに記載の履物のインソール。
【考案の詳細な説明】
【技術分野】
【０００１】
本考案は、靴、サンダル、スリッパ等の履物のインソールに関するものである。
【背景技術】
【０００２】
人の足の裏は東洋医学では第２の心臓といわれ、多くの経穴（いわゆるツボ）が存在することから、このツボを刺激して健康効果を図るものとして、刺激のための突起を設けたサンダルやスリッパなどの履物がある。
【０００３】
図１３はその一例を示し、特に湧泉や足心などのツボを刺激するものとして、スリッパの土踏まずの当たる部分に竹踏みなるアーチ状の突起１１を設けたものであり、かかるスリッパを履いて歩行することで前記突起１１が湧泉や足心などのツボを押圧し、健康が促進され、また血行もよくなる。
【０００４】
かかる土踏まずの当たる部分にアーチ状の突起を設けた竹踏み方式の履物は、歩行時はもちろんのこと、立っている時は体重が常時かかる土踏まずの部分がこの突起で押圧されることになり、大きな指圧効果は得られるものの、足裏からの圧力がこの突起の頂部に集中することになって、長時間使用すると突起が当たっている部分の足裏が痛くなったり、かえって疲れることにもなり、また、足裏のほぼ中央に位置する土踏まずの部分が押し上げられるために歩行しにくいこともある。
【０００５】
これに対して、下記特許文献は、指の付け根から指先が当たる部分の底部の上面に、側面山形の突出部を形成したものである。
【特許文献１】実願昭５３−９３９９１号（実開昭５５−１３８３１号）のマイクロフィルム
【特許文献２】特開２００２−１６５６０４号公報
【０００６】
特許文献１は履物底材において、その足裏面と接する面に足の裏の指つけ根凹部に適合する突起を設けた履物底材である。
【０００７】
特許文献に１は、極めて足裏にフィットした感覚を与えると共に、足指の踏んばりを効果的にし、高度の運動性を与えるものであるとし、  図１４、図１５に示すように、履物底材６は底材本体７の足の裏に接する面の前部の、足の裏の指つけ根凹部に対応する部分に、該凹部に適合する弧状の突起８を有する。該突起８は、履用時、図１４の破線で示すように足指のつけ根凹部に適合し、足指の踏んばりを効果的にし、運動性を向上させるとある。
【０００８】
特許文献２は、スリッパやサンダルなどの履物で、指の付け根から指先が当たる部分の底部の上面に、側面山形の突出部を形成するのに、突出部は、足指の第２関節に対応する箇所を山形の頂部に形成するようにしたものである。
【０００９】
図１６、図１７に示すように、足裏全体が載る底部１にバンド２を取り付けたサンダルは、底部１はバンド２の取付位置よりも先端の足指３の付け根３ａから指先３ｂが当たる部分の上面に、側面山形の突出部４を形成する。該突出部４は、山形の頂部４ａを足指３の第２関節に対応する箇所に位置させ、前方および後方を下方に向く傾斜部４ｂ，４ｃに形成した。
【００１０】
また、足の踵が当たる部分の底部１の上面に前記突出部４と略同じ高さの膨出部５を形成する。この膨出部５の高さは、例えば底部１全体の高さが１０〜１８ミリ程度になるようなものにした。
【００１１】
さらに、バンド２には固定部材でもよいが、伸縮性を有する部材を使用し、底部１の少なくとも上面には足裏が滑りにくくなるように細かな凹凸形状やメッシュなどを施した。さらに、長さ調整としてマジックテープ（登録商標）等の固定具を利用してもよい。
【００１２】
使用に際しては、履物を履いた状態で、足の甲部がバンド２で固定され、足指３がバンド２よりも前方に突出し、足指３が突出部４の上に載る。このとき、足指３の付け根３ａは突出部４の後方の傾斜部４ｂの下端に位置し、足指３の第２関節が頂部４ａに位置し、指先３ｂが前方の傾斜部４ｃに位置する。また、踵は膨出部５の上に載る。
【００１３】
このような状態で、足指３は突出部４の上にあって指先３ｂが下方に向くように折れ曲がり、第２関節の部分が頂部４ａの上に載り、付け根３ａは上方に向くように折れ曲がるから、足裏全体に体重がかかると、足指３の裏全体が突出部４の上に押しつけられ指圧作用が得られ、その結果、抹消血流が良好になる。同時に、足指３が「く」の字形に曲がることでストレッチされる。
【００１４】
かかる指圧作用やストレッチ作用は歩行することで、足指３の付け根の部分がさらに折れ曲がることによりさらに強化される。そして、歩行時に足を蹴りだす動作を行う際、足指３は突出部４全体をくるむようにして掴み込んでいるから、足指３で突出部４を後方に蹴りだすことができる。特に、指先３ｂが突出部４の前方の傾斜部４ｃに対応していることで、この傾斜部４ｃにより後方への押し出し力を得ることができ、良好に歩行できる。
【００１５】
また、踵の部分も膨出部５により持ち上げられるから、突出部４により持ち上げられた足指３の部分とのバランスがとれ、重心が後方に移動して直立に立ちにくくなったり、そっくり返った状態になって歩行しにくくなることもない。
【００１６】
さらに、足甲部を固定するバンド２を設けてあるから、足指３の付け根３ａの部分をバンド２で履物の底部１に固定でき、歩行中に足指３が履物の底部１に対して移動することを防ぐことができ、足指３を突出部４の上に保持できて、ストレッチや指圧作用を確実なものにできる。この場合、底部１の素材を滑りにくいもので形成しておけば、滑り防止作用はさらに確実になる。
【考案の開示】
【考案が解決しようとする課題】
【００１７】
特許文献１は、極めて足裏にフィットした感覚を与えると共に、足指の踏んばりを効果的にし、高度の運動性を与えるものであるとある。しかし、特許文献１は、弧状の突起８は細い三日月形のものであり、足指でこの弧状の突起８を充分に捉えて、足指を使って蹴り歩く歩行をなさしめるとうこところまでは至り着かない。
【００１８】
特許文献２は、この特許文献１の欠点をある程度補うものであるが、足指３で突出部４を充分に捉えるという点においてはまだ不十分であった。けだし、突出部４に足指３を載せた際に、足指が自然に広がる構造にはなっていないため、相互にくっついた足指では力を発揮できないおそれがある。
【００１９】
本考案の目的は前記従来例の不都合を解消し、足指が自然に開くような構造を採用して、足指を充分使って蹴り歩く歩行をなさしめ、足指を使って蹴り歩くことで足指の付け根を収縮弛緩することから足底筋を使用し、ふくらはぎ、太腿筋などを活性化できるもので、また、かかる機能をインソールに持たせることで、靴、サンダル、スリッパ等の履物の種類を問わず付加価値を付けることができ、取り外しも可能なので、洗浄していつも清潔を保つことができる履物のインソールを提供することにある。
【課題を解決するための手段】
【００２０】
本考案は前記目的を達成するため、第１に、スリッパやサンダルなどの履物に取り外しも可能に嵌め込む発泡ポリウレタン製のインソールであり、後半部のカカト対応部分を厚く形成し、前半部上面に、足の指が指の付け根から後側より上に載り、指の腹部が稜線よりも前側にでる半月弧状ものであり、前方および後方を下方に向く傾斜部に形成し、前方傾斜部は凸曲面とし、かつ、稜線から弓形状の面積をもって張り出し、後方傾斜部は凹曲面とした指枕を形成し、該指枕の後方傾斜部の裾部は凹所につながり、この凹所の後方に中央部分を盛り上げる中足部の突起を形成したことを要旨とするものである。
【００２１】
第２に、指枕部および上面周辺部を除いて点状の突起を一面に散列させたこと、第３に、裏面には、点状の穴を一面に散列させたこと、第４に、裏面には、リブ条を周囲から少し入り込んだ場所を囲むように形成し、また、後半のカカト対応部分にこの囲みのリブ条に対して交差する直線リブ条を適宜間隔で形成したことを要旨とするものである。
【００２２】
第５に、硬度は４５度であり、カカト対応部分の厚さは１６ミリ以上であり、指枕は高さ１５．５ミリ以上であり、中足部の突起は高さ８ミリ以上であることを要旨とするものである。
【００２３】
請求項１記載の本考案によれば、後半部のカカト対応部分を厚く形成し、前半部上面に指枕を形成したので、この指枕を足指で充分に捉えることで、指にしっかり力が入り、地面をしっかりと蹴ることができ、同時に二重振り子の運動による歩行姿勢が可能なる。また、指枕を蹴る歩行の結果、つま先が前に、踵が後ろに高くあがり、歩幅（スライド）が長く運動量が大きくなるので、つまずき難い、転びにくい歩行となる。
【００２４】
足指が自然に広がる構造を採用した。すなわち、指枕は足の指が指の付け根から後側より上に載り、指の腹部が稜線よりも前側にでる半月弧状ものであり、前方および後方を下方に向く傾斜部に形成し、前方傾斜部は凸曲面とし、かつ、稜線から弓形状の面積をもって張り出したので、この半月弧状の指枕に足指が乗る形となった場合に、凸曲面の前方傾斜部で自然に足指が広がる。
【００２５】
さらに、指枕の後方傾斜部は凹曲面としたので、ここに足指の付け根部が収まり、指の腹部を前方に押し出すのでより、足指が広がる。
【００２６】
このように足指が自然に広がる構造を採用した結果、より指枕を足指で充分に捉えることが可能となる。また、外反母趾でも負担がかからない。
【００２７】
また、中足部の突起は中足骨部として横のアーチを形成・保持する役目を果たす。
【００２８】
さらに、発泡ポリウレタン製のインソールであり、これをスリッパやサンダルなどの履物に取り外しも可能に嵌め込むことで衝撃吸収性に富むものとすることができ、また、取り外しも可能なので、洗浄していつも清潔を保つことができる。
【００２９】
請求項２記載の本考案によれば、指枕部および上面周辺部を除いて一面に散列させた点状の突起により、滑りが防止できるとともに、この突起により通気性が良くなり足の蒸れがなくなる。
【００３０】
請求項３記載の本考案によれば、裏面に一面に散列させた点状の穴により、柔軟性を向上させ、かつ、衝撃吸収性を高めることができる。
【００３１】
請求項４記載の本考案によれば、裏面に形成したリブ条により、さらに衝撃吸収性を高めることができる。
【００３２】
請求項５記載の本考案によれば、硬度は４５度と足に優しい柔らかさであり、１６ミリ厚さの発泡ポリウレタンで成型し、弾性により、カカトにかかる衝撃を吸収する。また、高さ１５．５ミリの指枕が、歩く時足指の裏を刺激し、蹴る力を養う。高さ８ミリ以上の中足部の突起は横アーチを保持する。
【考案の効果】
【００３３】
以上述べたように本考案の履物のインソールは、足指が自然に開くような構造を採用したので、指枕を足指で充分に捉えることで、指にしっかり力が入り、足指を充分使って蹴り歩く歩行をなさしめ、足指の付け根を収縮弛緩することから足底筋を使用し、ふくらはぎ、太腿筋などを活性化できる。
【００３４】
このように足指を充分使って蹴る力を高める効果として、足の血行を促進し、筋肉の疲れを取り除く（血行変化比較試験より）、カロリーの消費を高め、裸足より１２％消費量がアップする（消費試験より）、足の温度を１５分間歩行で２℃高め、ポカポカを感じる（サーモ試験より）ことができる。
【００３５】
さらに、かかる機能をインソールに持たせることで、靴、サンダル、スリッパ等の履物の種類を問わず付加価値を付けることができ、取り外しも可能なので、洗浄していつも清潔を保つことができる。
【考案を実施するための最良の形態】
【００３６】
以下、図面について本考案の実施の形態を詳細に説明する。図１は本考案の履物のインソールの１実施形態を示す表側の斜視図、図２は裏側の斜視図で、図中１２は本発明のインソールである。
【００３７】
インソール１２は、スリッパやサンダルなどの履物に取り外しも可能に嵌め込む発泡ポリウレタン製のものであり、裏面には、点状の穴１３を一面に散列させた。
【００３８】
裏面には、リブ条１４をインソール１２の周囲から少し入り込んだ場所を囲むように形成し、また、後半のカカト対応部分１５にこの囲みのリブ条１４に対して交差する直線リブ条１６を適宜間隔で平行に形成した。なお、図３に示すように、これらリブ条１４や直線リブ条１６がないものも考えられる。
【００３９】
インソール１２は後半部のカカト対応部分１５を厚く、厚さは１６ミリ以上に形成し、前半部上面に指枕１７を高さ１５．５ミリ以上に形成した。
【００４０】
この指枕１７は足の指が指の付け根から後側より上に載り、指の腹部が稜線よりも前側にでる半月弧状ものであり、前方および後方を下方に向く傾斜部に形成し、かかる傾斜部のうち、前方傾斜部１７ａは凸曲面とし、かつ、両傾斜部の境となる山頂である稜線１７ｂから弓形状の面積をもって張り出す。
【００４１】
また、稜線１７ｂから後方への後方傾斜部１７ｃは、足の指が指の付け根の足裏腹部が入りこむように凹曲面とした。
【００４２】
このように凹曲面である後方傾斜部１７ｃに対応して、前記前方傾斜部１７ａが凸曲面であるので、図５に示すように半月状の指枕１７に足指が乗る形になった場合に、自然に足指が広がる構造が得られる。
【００４３】
図４に示すように、前記指枕１７の後方傾斜部１７ｃの端である裾部は凹所１８につながり、この凹所１８の後方に中央部分を高さ８ミリ以上で盛り上げる山状の中足部の突起１９を形成した。
【００４４】
インソール１２の前記指枕１７の部分および上面周辺部を除いて円形点状の突起２０を一面に散列させた。
【００４５】
インソール１２は、硬度は４５度であり、周囲からすりばち状に凹ませ、土踏まず部２１は２８ミリ以上で、足裏の縦の内側（土踏まず側）のアーチを支える。
【００４６】
なお、図示は省略するが、インソール１２の上面には銀イオン加工処理した布地を貼り、抗菌作用を持たせる。
【００４７】
本考案のインソール１２は、接着剤を使用しないでスリッパやサンダルなどの履物に取り外しも可能に嵌め込むものであり、図７、図８の例は靴として、バックスキン製のアッパー内に収めるようにした。図示の例は、ひもの役割をするマジックテープ（登録商標）付のバンド２３を２本がけのものとした。そのため、パンプ２４に大きなスリット２５を形成し、はき易くしている。図中２６はタン（舌革）である。
【００４８】
図９のものは、靴として、バックスキン製のアッパー内に収めるようにした点では同じであるが、バックステイ２７を低くしてスリッパに近いタイプとして、はき易くしている。
【００４９】
図１０、図１１のものもはき易く工夫したものであり、バックスキン製のアッパーに設けるマジックテープ（登録商標）付の覆い２８を大きなものとして。開口が大きくなるようにした。
【００５０】
このように本考案のインソール１２は、靴に組み込むことで、靴を履いた状態で、足の甲部が靴のパンプで固定され、足指が指枕１７の上に載る。このとき、足指の付け根は指枕１７の後方傾斜部１７ｃに位置し、足指の第２関節が稜線１７ｂに位置し、指先が前方傾斜部１７ａに位置する。また、踵は後半部のカカト対応部分１５の上に載る。
【００５１】
このような状態で、足指は広がった状態で指枕１７の上にあって指先が下方に向くように折れ曲がり、第２関節の部分が稜線１７ｂの上に載り、付け根は後方傾斜部１７ｃに入り込んで上方に向くように折れ曲がるから、足裏全体に体重がかかると、足指の裏全体が指枕１７を捉えることになる。その結果、指圧作用が得られ、その結果、抹消血流が良好になる。
【００５２】
同時に、足指が「く」の字形に曲がることでストレッチされる。
【００５３】
かかる指圧作用やストレッチ作用は歩行することで、足指の付け根の部分がさらに折れ曲がることによりさらに強化される。そして、歩行時に足を蹴りだす動作を行う際、足指は指枕１７を全体をくるむようにして掴み込んでいるから、足指で指枕１７を後方に蹴りだすことができ、後方への押し出し力を得て良好に歩行できる。
【００５４】
また、踵の部分も後半部の厚さは１６ミリ以上のカカト対応部分１５により持ち上げられるから、指枕１７により持ち上げられた足指の部分とのバランスがとれ、重心が後方に移動して直立に立ちにくくなったり、そっくり返った状態になって歩行しにくくなることもない。（図１２参照）
【００５５】
さらに、足甲部をアウトソールで固定するから、足指の付け根の部分をインソール１２で靴の底部に固定でき、歩行中に足指が靴の底部に対して移動することを防ぐことができ、足指を指枕１７の上に保持できて、ストレッチや指圧作用を確実なものにできる。この場合、円形点状の突起２０が滑り防止作用を確実にする。
【図面の簡単な説明】
【００５６】
【図１】本考案の履物のインソールの１実施形態を示す表側の斜視図である。
【図２】本考案の履物のインソールの１実施形態を示す裏側の斜視図である。
【図３】本考案の履物のインソールの他の実施形態を示す裏側の斜視図である。
【図４】本考案の履物のインソールの概念斜視図である。
【図５】本考案の履物のインソールの足指が自然に広がることを示す説明図である。
【図６】本考案の履物のインソールの作用を示す説明図である。
【図７】本考案の履物のインソールを靴に使用する場合の第１例の閉じた状態の斜視図である。
【図８】本考案の履物のインソールを靴に使用する場合の第１例の開いた状態の斜視図である。
【図９】本考案の履物のインソールを靴に使用する場合の第２例の閉じた状態の斜視図である。
【図１０】本考案の履物のインソールを靴に使用する場合の第３例の閉じた状態の斜視図である。
【図１１】本考案の履物のインソールを靴に使用する場合の第３例の開いた状態の斜視図である。
【図１２】本考案のインソールを使用した履物での歩行状態を示す説明図である。
【図１３】従来例を示す斜視図である。
【図１４】他の従来例を示す平面図である。
【図１５】他の従来例を示す縦断側面図である。
【図１６】第３の従来例を示す側面図である。
【図１７】第３の従来例を示す側面図である。
【符号の説明】
【００５７】
１…底部                          ２…バンド
３…足指                          ３ａ…付け根
３ｂ…指先                        ４…突出部
４ａ…頂部                        ４ｂ，４ｃ…傾斜部
５…膨出部                        ６…履物底材
７…底材本体                      ８…弧状の突起
１１…アーチ状の突起              １２…インソール
１３…点状の穴
１４…リブ条                      １５…カカト対応部分
１６…直線リブ条                  １７…指枕
１７ａ…前方傾斜部                １７ｂ…稜線
１７ｃ…後方傾斜部
１８…凹所                        １９…中足部の突起
２０…円形点状の突起              ２１…土踏まず部
２３…バンド                      ２４…パンプ
２５…スリット                    ２６…タン（舌革）
２７…バックステイ                ２８…覆い
【図１】
0003134601.tif 000003
【図２】
0003134601.tif 000004
【図３】
0003134601.tif 000005
【図４】
0003134601.tif 000006
【図５】
0003134601.tif 000007
【図６】
0003134601.tif 000008
【図７】
0003134601.tif 000009
【図８】
0003134601.tif 000010
【図９】
0003134601.tif 000011
【図１０】
0003134601.tif 000012
【図１１】
0003134601.tif 000013
【図１２】
0003134601.tif 000014
【図１３】
0003134601.tif 000015
【図１４】
0003134601.tif 000016
【図１５】
0003134601.tif 000017
【図１６】
0003134601.tif 000018
【図１７】
0003134601.tif 000019
【手続補正書】
【提出日】平成19年6月7日(2007.6.7)
【手続補正１】
【補正対象書類名】実用新案登録請求の範囲
【補正対象項目名】全文
【補正方法】変更
【補正の内容】
【実用新案登録請求の範囲】
【請求項１】
スリッパやサンダルなどの履物に取り外しも可能に嵌め込む発泡ポリウレタン製のインソールであり、後半部のカカト対応部分を厚く形成し、前半部上面に、足の指が指の付け根から後側より上に載り、指の腹部が稜線よりも前側にでる平面形状で湾曲した弧状ものであり、前方および後方を下方に向く傾斜部に形成し、前方傾斜部は凸曲面とし、かつ、稜線から弓形状の面積をもって張り出し、後方傾斜部は凹曲面とした指枕を形成し、該指枕の後方傾斜部の裾部は凹所につながり、この凹所の後方に中央部分を盛り上げる中足部の突起を形成したことを特徴とする履物のインソール。
【請求項２】
指枕部および上面周辺部を除いて点状の突起を一面に散列させた請求項１記載の履物のインソール。
【請求項３】
裏面には、点状の穴を一面に散列させた請求項１または請求項２記載の履物のインソール。
【請求項４】
裏面には、リブ条を周囲から少し入り込んだ場所を囲むように形成し、また、後半のカカト対応部分にこの囲みのリブ条に対して交差する直線リブ条を適宜間隔で形成した請求項１ないし請求項３のいずれかに記載の履物のインソール。
【請求項５】
カカト対応部分の厚さは１６ミリ以上であり、指枕は高さ１５．５ミリ以上であり、中足部の突起は高さ８ミリ以上である請求項１ないし請求項４のいずれかに記載の履物のインソール。
【手続補正２】
【補正対象書類名】明細書
【補正対象項目名】００２０
【補正方法】変更
【補正の内容】
【００２０】
本考案は前記目的を達成するため、第１に、スリッパやサンダルなどの履物に取り外しも可能に嵌め込む発泡ポリウレタン製のインソールであり、後半部のカカト対応部分を厚く形成し、前半部上面に、足の指が指の付け根から後側より上に載り、指の腹部が稜線よりも前側にでる平面形状で湾曲した半月形状の弧状ものであり、前方および後方を下方に向く傾斜部に形成し、前方傾斜部は凸曲面とし、かつ、稜線から弓形状の面積をもって張り出し、後方傾斜部は凹曲面とした指枕を形成し、該指枕の後方傾斜部の裾部は凹所につながり、この凹所の後方に中央部分を盛り上げる中足部の突起を形成したことを要旨とするものである。